(57)【要約】      （修正有）【課題】多様な用途に対応可能な携帯性を有する氷嚢を提供する。【解決手段】氷嚢１は、上部に開口部を有する氷嚢本体６と、氷嚢本体６の開口部に装着されるもので、外周の対向する位置に開口部２ｂ、２ｃを有する枠体２と、枠体２に装着自在な蓋部材３と、開口部２ｂに装着されるベルト部材５と、開口部２ｃに装着されるカラビナ４とを備え、ベルト部材５の開口部２ｂへの装着側とは反対の端は、カラビナ４に装着自在である。ベルト部材５はしっかりと枠体２に装着することができ、携帯時の安定性を高めることが可能となる。【選択図】図１
0003231121.tif 000002
【実用新案登録請求の範囲】
【請求項１】
上部に開口部を有する氷嚢本体と、
前記氷嚢本体の前記開口部に装着されるもので、外周の対向する位置に第1及び第２の開口部を有する枠体と、
前記枠体に装着自在な蓋部材と、
前記第１の開口部に装着されるベルト部材と、
前記第２の開口部に装着されるカラビナと、を備え、
前記ベルト部材の前記第1の開口部への装着側とは反対の端は、前記カラビナに装着自在である
氷嚢。
【請求項２】
前記ベルト部材が装着される前記第１の開口部は矩形状の開口部であり、前記カラビナが装着される前記第２の開口部は丸長状の開口部である
請求項１に記載の氷嚢。
【請求項３】
前記ベルト部材は、バックル部を有し、当該バックル部により長さが調整自在である
請求項１又は請求項２に記載の氷嚢。
【考案の詳細な説明】
【技術分野】
【０００１】
本考案は、氷片及び水を入れて用いられる氷嚢に関する。
【背景技術】
【０００２】
従来、氷嚢は、氷片や水等を氷嚢本体に入れて、頭痛や筋肉痛などを緩和するために患部に当てたり、高熱時に体温降下のために動脈近傍に当てたりして、用いられる。
【０００３】
ここで、例えば特許文献１では、使用者の首回りに装着することで、当該使用者の首回りを冷却する氷嚢が開示されている。同氷嚢は、氷を収容する内嚢部材と、内嚢部材を内部に収容する外嚢と、内嚢部材が取り付けられる内嚢部材連結部とを備えている。
【先行技術文献】
【特許文献】
【０００４】
【特許文献１】特開２０１５−１０７２４７号公報
【考案の概要】
【考案が解決しようとする課題】
【０００５】
しかしながら、特許文献１に開示された氷嚢では、多様な用途に対応可能な携帯性については何ら考慮されていなかった。今日では、地球温暖化に伴う高温多湿化により、例えば、日中の外出、スポーツ観戦時等においても、体温を降下される必要があり、そのような用途に対応するためには、多様な用途に対応可能な携帯性を実現する必要がある。
【０００６】
本考案は、このような課題に鑑みてなされたものであり、その目的とするところは、多様な用途に対応可能な携帯性を有する氷嚢を提供することにある。
【課題を解決するための手段】
【０００７】
上記課題を解決するため、本考案の一態様に係る氷嚢は、上部に開口部を有する氷嚢本体と、前記氷嚢本体の前記開口部に装着されるもので、外周の対向する位置に第1及び第２の開口部を有する枠体と、前記枠体に装着自在な蓋部材と、前記第１の開口部に装着されるベルト部材と、前記第２の開口部に装着されるカラビナと、を備え、前記ベルト部材の前記第1の開口部への装着側とは反対の端は、前記カラビナに装着自在である。
【０００８】
この態様において、前記ベルト部材が装着される前記第１の開口部は矩形状の開口部であり、前記カラビナが装着される前記第２の開口部は丸長状の開口部であってもよい。さらに、前記ベルト部材は、バックル部を有し、当該バックル部により長さが調整自在であってもよい。
【考案の効果】
【０００９】
本考案によれば、多様な用途に対応可能な携帯性を有する氷嚢を提供することができる。
【図面の簡単な説明】
【００１０】
【図１】本考案の一実施形態に係る氷嚢の構成図である。
【図２】同氷嚢の蓋部材の装着について説明する構成図である。
【図３】同氷嚢を上方から見た平面図である。
【考案を実施するための形態】
【００１１】
以下、図面を参照しつつ本考案の一実施形態について説明する。
【００１２】
図１には本考案の実施形態に係る氷嚢の構成図を示し、図２には同氷嚢の蓋部材の装着の様子を示し、図３には同氷嚢を上方から見た様子を示し、説明する。より詳細には、図１（ａ）には、同氷嚢のベルト部材をカラビナから外した携帯時の様子を示し、図１（ｂ）には、同氷嚢のベルト部材をカラビナに装着した使用時の様子を示し、図１（ｃ）には、同氷嚢のベルト部材の詳細な構成を示し、説明する。
【００１３】
これらの図に示されるように、氷嚢１は、上部開口の氷嚢本体６を有しており、同氷嚢本体６の開口には、枠体２が装着されている。枠体２は、枠体本体２ａが略円弧状の外周を呈しており、枠体本体２ａの同外周の対向する２か所には、開口部２ｂ、２ｃが設けられている。この例では、開口部２ｂは、ベルト部材５を装着するためのものであり、この例では矩形状の開口部となっている。一方、開口部２ｃは、カラビナ４を装着するためのものであり、この例では丸長状の開口部となっている。
【００１４】
図２に示されるように、枠体２には、蓋部材３が装着自在となっている。詳細には、蓋部材３は、蓋部材本体３ａの下方に雄ネジが形成された螺合部３ｂを備えており、枠体２の内周面に形成された雌ネジに前記雄ネジが螺合されることで、枠体２に蓋部材３が装着されるようになっている。このように、螺合による装着を実現しているので、氷嚢本体６に挿入された氷片や水が蓋部材３と枠体２との間から漏れることもない。
【００１５】
図３に示されるように、開口部２ｂは、矩形状の開口部となっているので、ベルト部材５を装着したときに、開口部２ｂ内でベルト部材５のベルト本体５ａがズレたりすることもない。開口部２ｃは、丸長状の開口部となっているので、カラビナ４は、当該開口部２ｃ内で移動自在であり、使用時に動きがあっても、安定性を保持することができる。
【００１６】
このような構成において、実際の使用時には、蓋部材３を枠体２から外して、氷嚢本体６に氷片や水を入れた後、枠体２に蓋部材３を螺合して装着する。氷嚢１を携帯するときには、図１（ａ）に示されるように、カラビナ４からベルト部材５を外して、ベルト部材５を把持するとよい。一方、氷嚢１の使用時には、図１（ｂ）に示されるように、ベルト部材５の一端をカラビナ４に装着して、ベルト部材を持ち手として使用するとよい。
【００１７】
以上詳述したように、本発明の一実施形態によれば、上部に開口部を有する氷嚢本体６と、氷嚢本体６の開口部に装着されるもので、外周の対向する位置に開口部２ｂ，２ｃを有する枠体２と、枠体２に装着自在な蓋部材３と、開口部２ｂに装着されるベルト部材５と、開口部２ｃに装着されるカラビナ４とを備え、ベルト部材５の開口部２ｂへの装着側とは反対の端は、カラビナ４に装着自在である氷嚢１が提供される。したがって、多様な用途に応じて、ベルト部材５とカラビナ４の装着状態を変更することで、使用性、携帯性を用途に合致した形とすることが可能となる。
【００１８】
ここで、ベルト部材５が装着される開口部１ｂは矩形状の開口部であり、カラビナ４が装着される開口部２ｃは丸長状の開口部であってよい。このような形状によれば、ベルト部材５はしっかりと枠体２に装着することができ、携帯時の安定性を高めることが可能となると共に、カラビナ４を携帯又は使用時の動きに合わせて移動自在とさせることで、さらに使用時、携帯時の安定性を高めることが可能となる。
【００１９】
さらに、ベルト部材５は、バックル部５ｂを有し、バックル部により長さが調整自在であってよい。これによれば、多様な用途に好適なサイズとすることが可能となるので、利便性はさらに高まることになる。
【００２０】
以上、本考案の一実施形態に係る氷嚢について説明したが、本考案はこれに限定されることなく、その趣旨を逸脱しない範囲で種々の改良、変更が可能である。
【００２１】
例えば、前述した実施形態では、枠体と蓋部材を別体としたが、これに限定されずに両者を一体成型し、蓋部材部分に開閉機構を設けることで代用することも可能である。
【符号の説明】
【００２２】
１…氷嚢
２…枠体
２ａ…枠体本体
２ｂ…開口部
２ｃ…開口部
３…蓋部材
４…カラビナ
５…ベルト部材
５ａ…ベルト本体
５ｂ…バックル
６…氷嚢本体。
【図１】
0003231121.tif 000003
【図２】
0003231121.tif 000004
【図３】
0003231121.tif 000005